(57)【要約】      （修正有）【課題】図書館の書庫等の空気成分を改善して、書籍や資料物品の劣化を防ぎ、同時に周囲の環境改善を促進する空気清浄パネル材を提供する。【解決手段】板状のパネル本体と、パネル本体の表裏側面のうち少なくとも一方の面に塗布、付着、含有された天然素材特殊セラミックを使った有害物質吸着・分解材とからなり、部屋の内壁、家具の内外面、書籍や資料物品の周辺に設置される空気清浄パネル材において、前記天然素材特殊セラミックとして貝殻を用いた。【選択図】図１
0003180169.tif 000002
【実用新案登録請求の範囲】
【請求項１】
板状のパネル本体と、パネル本体の表裏側面のうち少なくとも一方の面に塗布、付着、含有された天然素材特殊セラミックを使った有害物質吸着・分解材とからなり、部屋の内壁、家具の内外面、書籍や資料物品の周辺に設置される空気清浄パネル材において、
前記天然素材特殊セラミックとして貝殻を用いたことを特徴とする空気清浄パネル材。
【請求項２】
前記貝殻は、粉末状のものが使われることを特徴とする請求項１記載の空気清浄パネル材。
【請求項３】
前記貝殻は、焼成されていることを特徴とする請求項２記載の空気清浄パネル材。
【考案の詳細な説明】
【技術分野】
【０００１】
本考案は、図書館その他の書庫や資料保存庫等の空気成分を改善して、書籍や資料物品の劣化を防ぎ、同時に周囲の環境改善を促進する空気清浄パネル材に関する。
【背景技術】
【０００２】
図書館における書籍や資料物品は、書庫の中で書棚に整列格納され、理想的には書庫の内部をエアコンなどで環境保全された状態で保存される。また、このようなエアコンなどで環境保全される一方で、光についても、日光（特に紫外線）などの強い光が当たらないようにする一方で、蛍光灯のような柔らかい光を当てて書籍や資料物品などの保管環境を良好に維持している。図書館等では書籍や資料物品等を単に保管するのみでなく、可能であれば何十年、何百年という長期間にわたって材料に使われている紙や材質が劣化したり変質したりしないように保管、ないしは保存する使命を担っており、上述のように、エアコンを効かせたり、照明に気を配ったりしている。そのためのより良い環境を提供するための従来技術としては、例えば特許文献１に示されたものがある。この技術は室内空気の還流方法に関するもので、建物、例えば工場、事務所等において天井付近に停滞する温暖空気および床面付近に滞留する冷却空気の室内温度のむらをなくし、効率良く均一に還流して、最適な環境を作り出そうとするものである。
【先行技術文献】
【特許文献】
【０００３】
【特許文献１】特開２００４−６１０５９号公報
【考案の概要】
【考案が解決しようとする課題】
【０００４】
しかしながら、従来のような室内空気を還流させる空気清浄方法では、多少なりとも空気の流れを効率的に行うことができるかも知れないが、もともと設備されていたエアコンシステムによる空気還流と大差はなく、書籍や資料物品などの劣化を防ぐのに効果があるとはいえなかった。
【０００５】
本考案は上記に鑑みてなされたものであり、その目的は、図書館の書庫等の空気成分を改善して、書籍や資料物品の劣化を防ぎ、同時に周囲の環境改善を促進する空気清浄パネル材を提供することである。
【課題を解決するための手段】
【０００６】
上記目的を達成するために本考案は、板状のパネル本体と、パネル本体の表裏側面のうち少なくとも一方の面に塗布、付着、含有された天然素材特殊セラミックを使った有害物質吸着・分解材とからなり、部屋の内壁、家具の内外面、書籍や資料物品の周辺に設置される空気清浄パネル材において、前記天然素材特殊セラミックとして貝殻を用いたことを特徴とする。
【０００７】
このような空気清浄パネル材は、空気中の有害物質を空気清浄パネル材の面に塗布、付着、含有された天然素材特殊セラミックなどの有害物質吸着・分解材に吸着させ分解する。このため、書庫などに保管された書籍や資料物品は空気中の有害物質、特に酸化物質と反応することが少なくなり、書籍や資料物品の劣化を防止する。また、保存環境を改善する。
【０００８】
前記貝殻は、粉末状のものが使われてもよい。また、貝殻は、焼成されていてもよい。
【０００９】
空気清浄パネル材の面に塗布、付着、含有される物質は上記天然素材特殊セラミックに限定されない。セラミック以外に、貝殻、炭、灰、わさび（すりおろして練成したもの）、しっくい、珪藻土等、種々のものを材料として用い、これらの材料を空気清浄パネル材の面に塗布、付着、含有させてもよい。
【考案の効果】
【００１０】
以上のように、本考案によれば、空気清浄パネル材を部屋の面、或いは書棚や各種家具の近辺に載置して、天然素材特殊セラミック或いはその他の材料から成る有害物質吸着・分解材を塗布、付着、含有させたため、空気清浄パネル材に空気を触れさせると、その空気中の有害物質は空気清浄パネル材の面に塗布、付着、含有された天然素材特殊セラミックなどの有害物質吸着・分解材に吸着・分解される。したがって、書庫などに保管された書籍や資料物品は空気中の有害物質、特に酸化物質と反応することが少なくなり、書籍や資料物品の劣化防止の上でも有効である。また、保存環境の改善にも有効である。
【図面の簡単な説明】
【００１１】
【図１】本願考案の一実施の形態に係る空気清浄パネル材を表す斜視図である。
【図２】前記実施の形態における有害物質吸着・分解材の付着状態を示す、図１中ＩＩ−ＩＩ線における断面図である。
【図３】前記実施の形態において、有害物質吸着・分解材としてホタテ貝殻、又は珪藻土を使用した場合と、それら以外の材質を使用した場合とにおける有害物質の吸着・分解実験を行った結果を示す比較表である。
【考案を実施するための形態】
【００１２】
以下、本考案を図面に示した実施の形態により詳細に説明する。図１は本考案の一実施形態に係る空気清浄パネル材の外観斜視図である。この空気清浄パネル材１は、全体が長方形の外観形状を有し、パネル本体２と、パネル本体２の表裏側面両面に設けられた有害物質吸着・分解材３とから成る。また、空気清浄パネル材１の厚みはせいぜい数ｍｍ（ミリメートル）、あっても１ｃｍ（センチメートル）である。
【００１３】
上記有害物質吸着・分解材３は、空気清浄パネル材１の面のうちの少なくとも一部分または全体（表裏側面全体を含む）に、塗布、付着、含有などの方法で設けられている。本考案における有害物質吸着・分解材３の具体的な材料としては、例えば天然素材特殊セラミック（例えば粉体状の貝殻など）を塗布、付着、含有させている。すなわち、貝殻（ホタテ貝など）を粉末状になるまで細かく砕き、この貝殻粉末を液体状の塗料、又は溶剤に混入させ、さらに貝殻粉末と塗料の混合物をスプレーまたは刷毛によりパネル本体２の面に塗布することにより空気清浄パネル材１が作製される。この場合、貝殻粉末は、貝殻を粉末にする前の状態で加熱焼成し、加熱焼成した後で粉末加工してもよい。貝殻を加熱焼成する温度としては、数１００℃〜１２００℃が好ましい。このようにして生成された貝殻粉末はそれ自体が多孔質であるから、空気中に存在する有害物質（酸化物質など）を強力に吸引、吸着する上、Ｃａ（カルシウム）成分が吸着した有害物質と化学反応して酸化物を分解させたり、中性物質に変化させる作用ないしは機能を持つ。
【００１４】
有害物質吸着・分解材３として使用可能な材料としては、他にも炭、灰、わさび（すりおろして練成したもの）、しっくい、珪藻土、セラミック、工業的化合物等、種々のものを用いることができ、これらの材料を空気清浄パネル材１の面に塗布、付着、含有させてもよい。上記貝殻とは異なる天然素材特殊セラミックを例にとってみると、天然素材特殊セラミックは、他の養生成分と混合されて水などにより練り上げられ成型されたり、パネル本体２の面に塗布される。或いは天然素材特殊セラミックを水溶性接着剤と混合させてパネル本体２の面にスプレーさせてもよい。その他コーティングや焼成、成型などの方法により天然素材特殊セラミックを塗布、付着、含有させることもできる。これにより、図２に示すように、空気清浄パネル材１の面に天然素材特殊セラミックが塗布、付着、含有されて有害物質吸着・分解材３の層ができ、空気に触れさせると空気中に含まれた有害物質は空気清浄パネル材１の面に塗布、付着、含有された有害物質吸着・分解材３に吸着・分解される。ここで、有害物質には各種の酸化物質及びこれを含んだ物質が対応することは上述した通りである。
【００１５】
上述のようにして作製された空気清浄パネル材１は、書庫等の部屋の面、或いは書棚や各種家具の近辺に載置される。すると、空気清浄パネル材１には天然素材特殊セラミック或いはその他の材料から成る有害物質吸着・分解材を塗布、付着、含有させてあるため、空気清浄パネル材１に空気を触れさせると、その空気中の有害物質は空気清浄パネル材の面に塗布、付着、含有された貝殻粉末、またはそれ以外の天然素材特殊セラミックなどから成る有害物質吸着・分解材３に吸着・分解される。したがって、書庫などに保管された書籍や資料物品は空気中の有害物質、特に酸化物質と反応することが少なくなり、書籍や資料物品の劣化を防止する。また、保存環境の改善が促進される。
【００１６】
図３は本考案の有害物質吸着・分解材３としてホタテ貝殻、又は珪藻土を使用した場合と、それら以外の材質を使用した場合とにおける有害物質の吸着・分解実験を行った結果を示す比較表である。この表からもわかるように、ホタテ貝殻、又は珪藻土を使用した場合は有害物質の吸着・分解に効果があることが分かる。特にホタテ貝殻は有害物質の吸着・分解に特に大きな効果があることが分かる。
【００１７】
したがって、このように有害物質吸着・分解材３による有害物質が吸着・分解及び除去された清浄空気に触れると、書籍や資料物品に有害物質が触れることが少なくなり、書籍や資料物品の酸化反応が減って書籍や資料物品が劣化しなくなる。また、書庫などは上述の通りエアコンによる調節がなされており湿度管理もされているが、有害物質吸着・分解材３としての貝殻粉末や天然素材特殊セラミックは吸放湿作用も持つから、湿度を管理する上でも有効であり、カビの発生や害虫の寄生などを防止することもできる。
【産業上の利用可能性】
【００１８】
本考案によれば、空気清浄パネル材の面に貝殻粉末、天然素材特殊セラミック或いはその他の材料から成る有害物質吸着・分解材を塗布、付着、含有させたため、空気清浄パネル材を空気中に配置すると、その空気にふくまれていた有害物質は空気清浄パネル材の面に塗布、付着、含有された天然素材特殊セラミックなどの有害物質吸着・分解材に吸着・分解される。したがって、書庫などに保管された書籍や資料物品は空気中の有害物質、特に酸化物質と反応することが少なくなり、書籍や資料物品の劣化防止の上でも有効である。また、保存環境の改善にも有効である。
【符号の説明】
【００１９】
１  空気清浄パネル材
２  パネル本体
３  有害物質吸着・分解材
【図１】
0003180169.tif 000003
【図２】
0003180169.tif 000004
【図３】
0003180169.tif 000005